(57)【要約】【課題】文字の検索を、文字を構成する一部の部品と、他の検索条件とを入力するだけで、簡単かつ迅速に行う。【解決手段】文字と、該文字の検索条件とを互いに関連付けて記憶する記憶手段１と、文字を構成する部品のうち、基準部品を入力するための部品入力手段９と、部品入力手段９に入力された基準部品を認識する部品認識手段３と、文字に関する検索条件を入力するための検索条件入力手段１１と、部品入力手段９に入力され、部品認識手段３によって認識された基準部品と、検索条件入力手段に入力された検索条件とに基づいて、記憶手段１から該当する文字を抽出する文字抽出手段３と、文字抽出手段３によって抽出された文字を表示する表示手段１２とを備える。【選択図】図１
2009093527.tif 000002
【特許請求の範囲】
【請求項１】
文字と、該文字の検索条件とを互いに関連付けて記憶する記憶手段と、
前記文字を構成する部品のうち、基準部品を入力するための部品入力手段と、
前記部品入力手段に入力された基準部品を認識する部品認識手段と、
前記文字に関する検索条件を入力するための検索条件入力手段と、
前記部品入力手段に入力され、前記部品認識手段によって認識された基準部品と、前記検索条件入力手段に入力された検索条件とに基づいて、前記記憶手段から該当する文字を抽出する文字抽出手段と、
前記文字抽出手段によって抽出された文字を表示する表示手段と、
を備えたことを特徴とする文字検索装置。
【請求項２】
前記記憶手段は、文字と、該文字を構成する各部品の相対的な位置関係とを互いに関連付けて記憶し、
前記検索条件入力手段は、前記部品入力手段に入力される基準部品と、他の部品との間で、相対的な位置関係を特定する部品位置特定手段で構成し、
前記文字抽出手段は、前記部品位置特定手段によって特定された基準部品と他の部品との相対的な位置関係に基づいて、前記記憶手段を検索し、該当する文字を抽出することを特徴とする請求項１に記載の文字検索装置。
【請求項３】
前記部品入力手段、前記検索条件入力手段、及び、前記部品位置特定手段は、前記基準部品を入力する基準エリアと、その周囲に形成される複数の周辺エリアとを有する総合入力手段で構成し、
前記文字抽出手段は、前記基準エリアに入力された部品に対して他の部品が、前記周辺エリアのいずれに入力されたのかに基づいて、前記記憶手段から該当する文字を抽出することを特徴とする請求項２に記載の文字検索装置。
【請求項４】
前記総合入力手段は、前記いずれかのエリアに入力された部品をドラッグ・アンド・ドロップにより他のエリアに移動可能としたことを特徴とする請求項３に記載の文字検索装置。
【請求項５】
前記部品入力手段は、手書き入力可能な手書きパッドで構成し、
前記記憶手段は、さらに文字を構成する各部品を記憶し、
前記部品認識手段は、前記記憶手段に記憶した各部品に基づいて、前記手書きパッドに入力された入力線を認識し、
前記表示手段は、前記部品認識手段によって認識された部品を表示する候補欄を備え、
前記候補欄に表示された部品を、前記総合入力手段を構成する各エリアにドラッグ・アンド・ドロップ可能としたことを特徴とする請求項３又は４に記載の文字検索装置。
【請求項６】
前記文字抽出手段は、抽出された文字を、新たに基準部品として、前記検索条件入力手段に入力された検索条件に基づいて、前記記憶手段を再検索し、該当する文字を抽出することを特徴とする請求項１から５のいずれか１項に記載の文字検索装置。
【請求項７】
文字を構成する部品を入力するための部品入力ステップと、
部品入力ステップで入力された部品を認識する部品認識ステップと、
前記文字に関する検索条件を入力するための検索条件入力ステップと、
文字と、該文字の検索条件とを互いに関連付けて記憶したデータを、前記部品入力ステップで入力され、前記部品認識ステップで認識された部品と、前記検索条件入力ステップで入力された検索条件とに基づいて検索し、該当する文字を抽出する文字抽出ステップと、
前記文字抽出ステップで抽出された文字を表示する表示ステップと、
を含むことを特徴とする文字検索方法。
【請求項８】
請求項７に記載の各ステップを含むことを特徴とするプログラム。
【請求項９】
請求項８に記載のプログラムを記録したことを特徴とするコンピュータにより読取可能な記録媒体。
【発明の詳細な説明】
【技術分野】
【０００１】
本発明は、電子辞書等に採用可能な文字検索装置、文字検索方法、プログラム、及び、記録媒体に関するものである。
【背景技術】
【０００２】
従来、文字検索装置として、文字枠内に記入された部首を認識すると共に、その部首の記入された位置を認識し、あるいは、漢字全体が記入された場合、その漢字に含まれる部首を使用者が指定することにより、その部首とその位置を認識するようにした構成が公知である（例えば、特許文献１参照）。
【０００３】
また、他の文字検索装置として、複雑な文字の文字構成部分を、複数の文字入力枠に分割入力、認識することにより、手書き入力された複雑な文字の認識を、高速に、精度良く行うようにした構成が公知である（例えば、特許文献２参照）。
【０００４】
【特許文献１】特開平８−１６５７１号公報
【特許文献２】特開平７−１２１６６０号公報
【発明の開示】
【発明が解決しようとする課題】
【０００５】
しかしながら、特許文献１に開示された構成では、漢字を構成する部首の位置は、４分割された文字枠のいずれに入力されたのかによって認識するようになっている。このため、部首の位置を正確に覚えていなければ、検索することができない。また、部首での検索にしか対応しておらず、使い勝手が悪い。
【０００６】
また、特許文献２に開示された構成では、構成部分から漢字を検索できるだけであり、各構成部分間の位置関係については全く考慮されていない。
【０００７】
そこで、本発明は、文字の検索を、文字を構成する一部の部品と、他の検索条件とを入力するだけで、簡単かつ迅速に行うことのできる文字検索装置、文字検索方法、プログラム、及び、記録媒体を提供することを課題とする。
【課題を解決するための手段】
【０００８】
本発明は、前記課題を解決するための手段として、
文字検索装置を、
文字と、該文字の検索条件とを互いに関連付けて記憶する記憶手段と、
前記文字を構成する部品のうち、基準部品を入力するための部品入力手段と、
前記部品入力手段に入力された基準部品を認識する部品認識手段と、
前記文字に関する検索条件を入力するための検索条件入力手段と、
前記部品入力手段に入力され、前記部品認識手段によって認識された基準部品と、前記検索条件入力手段に入力された検索条件とに基づいて、前記記憶手段から該当する文字を抽出する文字抽出手段と、
前記文字抽出手段によって抽出された文字を表示する表示手段と、
を備えた構成としたものである。
【０００９】
なお、前記部品には、部首のほか、文字の一部を構成する、任意に設定した筆画を含めることもできる。前記基準部品には、前記部品のいずれを選択してもよい。前記検索条件には、基準部品に対する他の部品の相対的な位置関係のほか、漢字の読み、部品の読み、部品の画数、総画数等が含まれる。検索条件は、複数組み合わせてもよいし、「ＡＮＤ（及び）／ＯＲ（又は）」のいずれの検索を行えるようしても構わない。
【００１０】
この構成により、文字を構成する部品のうち、任意の部品を基準部品として入力し、後は覚えている範囲で、適宜、他の検索条件を入力するだけで、所望の文字を検索することが可能となる。
【００１１】
前記記憶手段は、文字と、該文字を構成する各部品の相対的な位置関係とを互いに関連付けて記憶し、
前記検索条件入力手段は、前記部品入力手段に入力される基準部品と、他の部品との間で、相対的な位置関係を特定する部品位置特定手段で構成し、
前記文字抽出手段は、前記部品位置特定手段によって特定された基準部品と他の部品との相対的な位置関係に基づいて、前記記憶手段を検索し、該当する文字を抽出するのが好ましい。
【００１２】
この構成により、部品同士の相対的な位置関係さえ理解しておけば、簡単に所望の文字を検索することが可能となる。
【００１３】
前記部品入力手段、前記検索条件入力手段、及び、前記部品位置特定手段は、前記基準部品を入力する基準エリアと、その周囲に形成される複数の周辺エリアとを有する総合入力手段で構成し、
前記文字抽出手段は、前記基準エリアに手書き入力された部品に対して他の部品が、前記周辺エリアのいずれに手書き入力されたのかに基づいて、前記記憶手段から該当する文字を抽出するのが好ましい。
【００１４】
この構成により、各部品の相対的な位置関係を覚えていさえすれば、それをそのままタッチパネルに入力するだけで、簡単かつ迅速に所望の文字を検索することができる。
【００１５】
前記総合入力手段は、前記いずれかのエリアに入力された部品をドラッグ・アンド・ドロップにより他のエリアに移動可能とするのが好ましい。
【００１６】
この構成により、入力後の各部品の相対的な位置関係の変更を容易に行うことができ、より一層、使い勝手を向上させることが可能となる。
【００１７】
前記部品入力手段は、手書き入力可能な手書きパッドで構成し、
前記記憶手段は、さらに文字を構成する各部品を記憶し、
前記部品認識手段は、前記記憶手段に記憶した各部品に基づいて、前記手書きパッドに入力された入力線を認識し、
前記表示手段は、前記部品認識手段によって認識された部品を表示する候補欄を備え、
前記候補欄に表示された部品を、前記総合入力手段を構成する各エリアにドラッグ・アンド・ドロップ可能とするのが好ましい。
【００１８】
この構成により、手書き入力に基づいて候補欄に候補を表示させた後、この中から該当する部品を選択し、総合入力手段のいずれかのエリアにドラッグ・アンド・ドロップするだけで、簡単に各部品の相対的な位置関係を設定することができる。
【００１９】
前記文字抽出手段は、抽出された文字を、新たに基準部品として、前記検索条件入力手段に入力された検索条件に基づいて、前記記憶手段を再検索し、該当する文字を抽出するのが好ましい。
【００２０】
この構成により、抽出した文字に基づいて再検索することができ、新たに入力し直す手間を省いて迅速な検索が可能となる。
【００２１】
また、本発明は、前記課題を解決するための手段として、
文字検索方法を、
文字を構成する部品を入力するための部品入力ステップと、
部品入力ステップで入力された部品を認識する部品認識ステップと、
前記文字に関する検索条件を入力するための検索条件入力ステップと、
文字と、該文字の検索条件と互いに関連付けて記憶したデータを、前記部品入力ステップで入力され、前記部品認識ステップで認識された部品と、前記検索条件入力ステップで入力された検索条件とに基づいて検索し、該当する文字を抽出する文字抽出ステップと、
前記文字抽出ステップで抽出された文字を表示する表示ステップと、
を含むようにするものである。
【００２２】
また、本発明は、前記課題を解決するための手段として、プログラムを、前記文字検索方法の各ステップを含むものとしている。
【００２３】
また、本発明は、前記課題を解決するための手段として、記憶媒体を、前記プログラムを記録した、コンピュータにより読取可能なものとしている。
【発明の効果】
【００２４】
本発明によれば、ユーザが記憶している範囲で、基準部品と検索条件を入力することができるので、抽出しようとする文字についての情報があまり無い状態であっても、十分に検索可能である。
【発明を実施するための最良の形態】
【００２５】
以下、本発明に係る実施形態を添付図面に従って説明する。
【００２６】
（第１実施形態）
図１は、第１実施形態に係る文字検索装置のブロック図を示す。この文字検索装置は、記憶部１、入力表示部２、及び、制御部３を備える。
【００２７】
記憶部１は、ＲＯＭ４（Read Only Memory）とＲＡＭ５（Random Access Memory）を備える（勿論、ハードディスク等の他の記憶媒体で構成することも可能である。）。ＲＯＭ４には、後述する各処理を実行するための制御プログラム６のほか、文字データテーブル７が記憶されている。文字データテーブル７には、１レコードとして、文字（ここでは、漢字）と、その文字を構成する各部品とが互いに関連付けて記憶されている。また、２つの部品の相対的な位置関係が、各部品を基準としてそれぞれ記憶されている。例えば、図６に示すように、「藍」であれば、この文字を構成する部品である草冠に対して皿は下方に位置するので、草冠を「上」、皿を「下」として両部品の相対的な位置関係が記憶されている。したがって、いずれの部品を基準としても、他の部品との相対的な位置関係が、前記１レコードによって特定することが可能となっている。なお、部品としては、部首のほか、任意に選択した筆画を含めるようにしてもよい。また、ＲＡＭ５には、入力表示部２で入力された各データが格納される入力データテーブル８が記憶されている。すなわち、基準部品入力欄９や他部品入力欄１０に手書き入力された入力線や、この入力線に基づいて特定した部品のほか、相対位置特定欄１１で特定された位置情報が１レコードとして格納されている。
【００２８】
入力表示部２は、液晶ディスプレイの表面にタッチパネルを設けたもので、そこには、図２に示すように、基準部品入力欄９、他部品入力欄１０、相対位置特定欄１１、候補文字表示欄１２、等が表示されるようになっている。基準部品入力欄９は、本発明の部品入力手段を構成し、そこには、検索しようとする文字に含まれる基準となる部品（基準部品）を、ペン等により手書き入力できるようになっている。他部品入力欄１０には、前記基準部品入力欄９に入力した基準部品のほかに入力可能な他の部品を入力するために使用する。基準部品や他の部品は文字を構成するいずれの部品であってもよく、任意に選択することができる。相対位置特定欄１１はペン等でタッチすると、プルダウンメニューが表示され、基準部品入力欄９に入力した基準部品に対する、他部品入力欄１０に入力した他の部品の相対的な位置関係を選択できるようになっている。具体的に、「上」、「下」、「左」、「右」、「外」、「内」、「同」等から選択できるようになっている。「同」は、基準部品に対して他の部品が同じエリアに位置することを意味し、他は基準部品に対する他の部品の相対位置をそれぞれ意味する。
【００２９】
制御部３（ＣＰＵ：Central Processing Unit）は、後述するように、基準部品入力欄９や他部品入力欄１０に入力された入力線を認識し、相対位置特定欄１１で特定された位置と共に記憶部１に記憶させ、これらのデータに基づいて、記憶部１のデータベースを検索し、該当する文字を抽出した後、候補文字表示欄１２に表示させる。
【００３０】
次に、前記構成の文字検索装置の動作について、図４及び図５のフローチャートに従って説明する。
【００３１】
まず、基準部品入力欄９にペン等により入力線が手書き入力されると（ステップＳ１）、その入力線について文字認識処理を実行し（ステップＳ２）、入力線が記憶部１に記憶したいずれの部品であるのかを特定し、これを基準部品としてＲＡＭ５の入力データテーブル８に格納する（ステップＳ３）。また、他部品入力欄１０に入力線が手書き入力されると（ステップＳ４）、同様にして文字認識処理を実行し（ステップＳ５）、部品を特定し、これを他の部品として入力データテーブル８に格納する（ステップＳ６）。さらに、相対位置特定欄１１での入力により、基準部品に対する他の部品の相対位置がいずれであるのかを判断し、その位置を特定し、入力データテーブル８に格納する（ステップＳ７）。このとき、基準部品の位置も特定されることになる。例えば、図２に示すように、基準部品（さんずいへん）に対する他の部品（湯の一部）の相対位置として「右」が入力された場合、基準部品の相対位置は必然的に「左」となる。そして、入力データテーブル８には、基準部品と他の部品とにそれぞれ相対位置を格納する（前記例では、基準部品の位置を「左」、他の部品の位置を「右」として格納する。）。
【００３２】
そして、前記ステップＳ３で入力データテーブル８に格納した基準部品に基づいて、記憶部１に記憶した文字データテーブル７を検索し、該当する部品を抽出する（ステップＳ８）。文字データテーブル７では、２つの部品のいずれか一方にでも前記基準部品が含まれていれば、その文字を抽出する。該当する部品が抽出されれば、基準部品の位置と、抽出された部品との位置が合致しているものを検索する（ステップＳ９）。部品が検索されれば、その中で、前記ステップＳ６で格納した他の部品が含まれている文字を検索し（ステップＳ１０）、さらに部品を絞り込む。そして、絞り込んだ部品の中から、相対位置が他の部品と合致するものを検索する（ステップＳ１１）。
【００３３】
前記ステップＳ９〜Ｓ１１で、該当する漢字が抽出されれば、抽出された漢字を全て候補文字表示欄１２に一覧表示させる（ステップＳ１２）。表示された漢字の中から該当するものが選択されれば（ステップＳ１３）、その漢字の読み仮名、意味、部首等の漢字情報を、別途、説明欄２１に表示させる（ステップＳ１４）。一方、前記ステップＳ９〜Ｓ１１のいずれかで、該当するものが抽出されなければ、全ての漢字についての検索が終了したか否かを判断する（ステップＳ１５）。終了していなければ、前記ステップＳ２に戻って前記処理を繰り返し、終了していれば、「漢字がありません」と表示し（ステップＳ１６）、文字検索処理を終了する。
【００３４】
このように、前記実施形態によれば、ある漢字を抽出する場合、その漢字について覚えている部品を基準部品として入力し、さらに他の部品と、前記基準部品に対する相対位置とを入力するだけで、所望の漢字を抽出することができる。しかも、漢字を構成する部首だけではなく、任意に設定した部品に基づいても所望の漢字を抽出することができるので、部首を正確に記憶していなくてもよい。
【００３５】
なお、前記実施形態では、２つの部品について相対的な位置関係を特定するようにしたが、さらに３つ以上の部品についても相対的な位置関係を特定できるようにしてもよい。
【００３６】
また、前記実施形態では、候補文字を抽出するようにしたが、この候補文字を、新たに基準部品として前記処理を再実行するようにしてもよい。例えば、図３に示すように、湯を特定した後、草冠と、その位置（「上」）とを入力し、「蕩」を抽出するようにしてもよい。これによれば、複雑な漢字を抽出する場合、入力の簡単な部品のみを入力し、徐々に絞り込んで行くことにより、入力の手間を省いて迅速に検索することが可能となる。
【００３７】
（第２実施形態）
第２実施形態では、第１実施形態とは、記憶部１に記憶する文字データテーブル７の構成のほか、これに関連して文字検索処理の一部が相違している。
【００３８】
図６及び図７は、第２実施形態に於ける文字データテーブル７の構成の例を示す。ここでは、相対位置が、文字を構成する２つの部品の組合せとして記憶されている。例えば、図６の「藍」では、草冠と皿が「上下」として記憶されており、図７の「沖」では、さんずいへんと「中」の中心線「｜」とが「左右」として記憶されている。
【００３９】
図８及び図９は、第２実施形態に於ける文字検索処理を示すフローチャートである。ここでは、ステップＳ２１〜Ｓ２６までは、前記第１実施形態のステップＳ１〜Ｓ６と同様に、基準部品と、他の部品とを特定するが、ステップＳ２７では、基準部品と他の部品の相対位置を判断し、基準部品と他の部品との組合せで相対位置を入力データテーブル８に格納するようにしている。したがって、基準部品と他の部品とが入れ替わった場合、すなわち、他の部品が基準部品とし、基準部品を他の部品とした場合、相対位置は新たに入力データテーブル８に格納し直さなければならない。但し、ステップＳ２７で行う相対位置の特定方法は、前記ステップＳ７と同様である。また、ステップＳ２８、Ｓ２９では、前記ステップＳ８、Ｓ１０と同様の処理を行うが、ステップＳ３０では、基準部品と他の部品の組合せにより設定した相対位置が合致するか否かを判断している。また、ステップＳ３１〜Ｓ３５は、前記ステップＳ１２〜１６と同様である。
【００４０】
（第３実施形態）
第３実施形態では、前記各実施形態とは、基準部品に対する他の部品の相対的な位置関係を特定するための手段が相違する。
【００４１】
すなわち、前記各実施形態では、基準部品に対する他の部品の相対的な位置関係をプルダウンメニューから選択するようにしたが、第３実施形態では、図１０に示すように、入力表示部２に、仕切線によってマトリックス状に形成した入力枠１３を表示させ、各入力枠１３に入力された部品同士の位置関係により相対位置を特定するようにしている。図１０では、入力枠１３を３×３で表示させ、その中心に位置する入力枠１３を基準エリア、その周囲を囲む各入力枠１３を周辺エリアとしている。但し、入力枠１３は、必ずしもこれに限らず、４×４等としてもよい。また、仕切線を無くし、後述するように、ドラッグ・アンド・ドロップさせた位置関係で相対位置を特定するようにすることも可能である。また、ドラッグ・アンド・ドロップできる部品の数は２つに限らず、３つ以上でも構わない。
【００４２】
また、入力枠１３とは別に、手書き入力欄１４と候補リスト欄１５を表示させ、手書き入力欄１４に入力された入力線に基づいて候補リスト欄１５に該当する候補を一覧表示させるようにしている。そして、一覧表示された中から該当する部品を選択し、いずれかの入力枠１３にドラッグ・アンド・ドロップできるように構成されている。なお、一旦、ドラッグ・アンド・ドロップで、いずれかの入力枠１３に表示された部品は、その後、さらに他の入力枠１３にドラッグ・アンド・ドロップすることにより位置を変更できるようにするのが好ましい。
【００４３】
さらに、入力枠１３に部品がドラッグ・アンド・ドロップされた時点で、該当する漢字を一覧表示させる表示欄（図示せず）を設けるのが好ましい。２つ目の部品をドラッグ・アンド・ドロップすることにより、それらの相対位置に基づいて表示欄に表示する漢字が絞られる。一旦、入力枠１３に表示させた部品を他の位置に移動させることにより、随時、表示欄に表示される漢字が条件を満足するものに変更されるようにすればよい。これにより、部品の位置を変更させながら、表示欄に表示させる漢字を切り替えて、該当する漢字を抽出容易とできる。また、一旦、入力枠１３に表示させた部品は、自由に消去したり、変更したりできるようにすれば、より一層、使い勝手を向上させることが可能となる。
【００４４】
このように、前記第３実施形態によれば、基準部品と他の部品との位置関係を入力枠１３へのドラッグ・アンド・ドロップで簡単に設定しながら、所望の漢字を簡単かつ迅速に抽出することができる。
【００４５】
（第４実施形態）
前記第１実施形態では、基準部品に対する周辺部品の相対的な位置関係を入力するようにしたが、他の検索条件を入力できるようにしてもよい。
【００４６】
すなわち、図１１に示すように、基準部品入力欄９のほかに、第１部品入力欄１６及び第２部品入力欄１７を設け、相対位置（「形状」を選択した場合）のほかに、各入力欄に対して第１検索条件選択欄１８で、「漢字読み」、「部品読み」、「部品画数」、「総画数」等を検索条件として選択できるようにしてもよい。また、検索条件として、「漢字読み」や「部品読み」を選択した場合、第２検索条件選択欄１９に表示させ、「と等しい」、「を含まない」、「で始まる」、「で終わる」、「２文字目」、「３文字目」等を選択できるようにしてもよい。第１部品入力欄１６及び第２部品入力欄１７で入力する検索条件は、基準部品入力欄９に入力した部品との間で、「ＡＮＤ」又は「ＯＲ」のいずれかの条件を設定するための設定欄２０を設けるようにしてもよい。検索した結果、得られた漢字は、候補文字表示欄１２に一覧表示し、その中から選択された漢字の意味等は、説明欄２１に表示させればよい。
【００４７】
なお、前記実施形態では、文字検索処理の対象となる文字として漢字について説明したが、ハングル文字等、他の文字についても同様に適用することが可能である。
【００４８】
また、前記実施形態では、制御プログラム６のプログラムコードを記憶部１のＲＯＭ４に記憶するようにしたが、ＣＤ、ＤＶＤ、メモリカード等の他の記憶媒体に記憶するようにしてもよい。そして、これらの記憶媒体から、直接、制御プログラム６を実行できるようにしたり、ハードディスク等にインストールしたりすることができるようにしてもよい。また、電気通信回線等を介して制御プログラム６を実行したり、ダウンロードしたりできるようにすることも可能である。また、プログラムコードの指示に基づいてコンピュータ上で稼働しているオペレーティングシステム（ＯＳ）等が実際の処理の一部または全部を実行するようにしてもよい。
【図面の簡単な説明】
【００４９】
【図１】本実施形態に係る文字検索装置のブロック図である。
【図２】図１の入力表示部に表示させる画面例を示す図である。
【図３】図１の入力表示部に表示させる画面例を示す図である。
【図４】第１実施形態に係る文字検索処理の内容を示すフローチャートである。
【図５】第１実施形態に係る文字検索処理の内容を示すフローチャートである。
【図６】図１の記憶部に格納する文字データテーブルの例を示す図表である。
【図７】図１の記憶部に格納する文字データテーブルの例を示す図表である。
【図８】第２実施形態に係る文字検索処理の内容を示すフローチャートである。
【図９】第２実施形態に係る文字検索処理の内容を示すフローチャートである。
【図１０】第３実施形態に係る入力表示部に表示させる画面例を示す図である。
【図１１】第４実施形態に係る入力表示部に表示させる画面例を示す図である。
【符号の説明】
【００５０】
１…記憶部
２…入力表示部
３…制御部
４…ＲＯＭ
５…ＲＡＭ
６…制御プログラム
７…文字データテーブル
８…入力データテーブル
９…基準部品入力欄
１０…他部品入力欄
１１…相対位置特定欄
１２…候補文字表示欄
１３…入力枠
１４…手書き入力欄
１５…候補リスト欄
１６…第１部品入力欄
１７…第２部品入力欄
１８…第１検索条件選択欄
１９…第２検索条件選択欄
２０…設定欄
２１…説明欄
【図１】
2009093527.tif 000003
【図２】
2009093527.tif 000004
【図３】
2009093527.tif 000005
【図４】
2009093527.tif 000006
【図５】
2009093527.tif 000007
【図６】
2009093527.tif 000008
【図７】
2009093527.tif 000009
【図８】
2009093527.tif 000010
【図９】
2009093527.tif 000011
【図１０】
2009093527.tif 000012
【図１１】
2009093527.tif 000013